(57)【要約】【課題】周波数の効率的な利用を図れる通信システムを提供する。【解決手段】通信システム１０は、ＥＰＣ１０８とｅＮｏｄｅＢ１１０とＵＥ１０４とを有する通信装置１００と、ＥＰＣ２０８とｅＮｏｄｅＢ２１０とＵＥ２０４とを有する通信装置２００と、前記ｅＮｏｄｅＢ１１０と無線接続するＵＥ２０ａと、前記ｅＮｏｄｅＢ２１０と無線接続するＵＥ２０ｃと、を備え、ＵＥ２０ａは、前記ｅＮｏｄｅＢ１１０、前記ＵＥ２０４を経由して、前記ＵＥ２０ｃと第１通信経路を確立する又は、ＵＥ２０ａは、前記ＵＥ１０４、前記第ｅＮｏｄｅＢ２１０を経由して、前記ＵＥ２０ｃと第２通信経路を確立する。【選択図】図１
2015216564.tif 000002
【特許請求の範囲】
【請求項１】
第１ＥＰＣ（Evolved Packet Core）と第１ｅＮｏｄｅＢ（evolved Node B）と第１ＵＥ（User Equipment）とを有する第１通信装置と、
第２ＥＰＣと第１ｅＮｏｄｅＢと第２ＵＥとを有する第２通信装置と、
前記第１ｅＮｏｄｅＢと無線接続する一のＵＥと、
前記第２ｅＮｏｄｅＢと無線接続する他のＵＥと、
を備え、
前記一のＵＥは、前記第１ｅＮｏｄｅＢ、前記第２ＵＥを経由して、前記他のＵＥと第１通信経路を確立する
又は、
前記一のＵＥは、前記第１ＵＥ、前記第２ｅＮｏｄｅＢを経由して、前記他のＵＥと第２通信経路を確立する
ことを特徴とする通信システム。
【請求項２】
請求項１記載の通信システムにおいて、
前記第１通信装置は、第１制御部を有し、
前記第２通信装置は、第２制御部を有し、
前記第１制御部が、前記第１ｅＮｏｄｅＢの通信量が所定の閾値よりも少ないと判断した場合に、前記第１通信経路が確立され、
前記第１制御部は、前記一のＵＥから送信されたパケットに前記第２ＵＥの識別符号を付加し、
前記第２制御部は、前記識別符号が付加されたパケットから前記識別符号を削除する
ことを特徴とする通信システム。
【請求項３】
請求項１記載の通信システムにおいて、
前記第１通信装置は、第１制御部を有し、
前記第２通信装置は、第２制御部を有し、
前記第１制御部が、前記第１ｅＮｏｄｅＢの通信量が所定の閾値よりも多いと判断した場合に、前記第２通信経路が確立される
ことを特徴とする通信システム。
【発明の詳細な説明】
【技術分野】
【０００１】
本発明は、ＬＴＥ端末を用いた通信システムにおけるバックホール（backhaul）回線に関する。
【背景技術】
【０００２】
移動通信の国際的な標準化団体である３ＧＰＰ(Third Generation Partnership Project)において標準化された移動通信システムであるＬＴＥ（Long Term Evolution-Advanced）が運用されている。
【０００３】
このＬＴＥでは、末端のアクセス回線と中心部の基幹通信網(バックボーン回線)を繋ぐ中継回線として、バックホール回線がある。
【先行技術文献】
【特許文献】
【０００４】
【特許文献１】国際公開第２０１０／１３１４８７号
【発明の概要】
【発明が解決しようとする課題】
【０００５】
しかしながら、ＬＴＥにおいて、メッシュネットワークを構成する際に、隣接する基地局間とのバックホール回線において用いられる周波数、通信方式と、ＵＥ（User Equipment）とｅＮｏｄｅＢ（evolved Node B）との通信で用いられる周波数、通信方式とは一般的に異なる。このために、周波数の効率的な利用の観点から好ましくない。
【０００６】
本発明は、上記の課題を考慮してなされたものであって、周波数の効率的な利用を図れる通信システムを提供することを目的とする。
【課題を解決するための手段】
【０００７】
本発明に係る通信システムは、第１ＥＰＣ（Evolved Packet Core）と第１ｅＮｏｄｅＢ（evolved Node B）と第１ＵＥ（User Equipment）とを有する第１通信装置と、第２ＥＰＣと第１ｅＮｏｄｅＢと第２ＵＥとを有する第２通信装置と、前記第１ｅＮｏｄｅＢと無線接続する一のＵＥと、前記第２ｅＮｏｄｅＢと無線接続する他のＵＥと、を備え、前記一のＵＥは、前記第１ｅＮｏｄｅＢ、前記第２ＵＥを経由して、前記他のＵＥと第１通信経路を確立する又は、前記一のＵＥは、前記第１ＵＥ、前記第２ｅＮｏｄｅＢを経由して、前記他のＵＥと第２通信経路を確立することを特徴とする。
【０００８】
また、前記通信システムにおいて、前記第１通信装置は、第１制御部を有し、前記第２通信装置は、第２制御部を有し、前記第１制御部が、前記第１ｅＮｏｄｅＢの通信量が所定の閾値よりも少ないと判断した場合に、前記第１通信経路が確立され、前記第１制御部は、前記一のＵＥから送信されたパケットに前記第２ＵＥの識別符号を付加し、前記第２制御部は、前記識別符号が付加されたパケットから前記識別符号を削除することを特徴とする。
【０００９】
さらに、前記通信システムにおいて、前記第１通信装置は、第１制御部を有し、前記第２通信装置は、第２制御部を有し、前記第１制御部が、前記第１ｅＮｏｄｅＢの通信量が所定の閾値よりも多いと判断した場合に、前記第２通信経路が確立されることを特徴とする。
【発明の効果】
【００１０】
本発明の通信システムによれば、第１通信装置に第１ＵＥ、第２通信装置に第２ＵＥを設けて、第１通信装置と第２通信装置との間のバックホール回線として、第１ＵＥ又は第２ＵＥを利用することにより、新たに周波数、通信手順を用いずに簡便にバックホール回線を構築でき、周波数の効率的な利用も図れる。
【図面の簡単な説明】
【００１１】
【図１】本発明の実施形態に係る通信システムの説明図である。
【図２】図２Ａは、テーブルのルーティング情報の更新前の説明図であり、図２Ｂは、テーブルのルーティング情報の更新前の説明図であり、図２Ｃは、テーブルのルーティング情報の更新後の説明図であり、図２Ｄは、テーブルのルーティング情報の更新後の説明図である。
【図３】通信システムの処理手順についての説明図である。
【発明を実施するための形態】
【００１２】
以下、本発明の実施形態について図面を参照して説明する。図１は、本発明の実施形態に係る通信システム１０の説明図である。
【００１３】
＜通信システム１０の構成の説明＞
通信システム１０は、ＵＥ２０ａ〜２０ｄ、通信装置（第１通信装置）１００及び通信装置（第２通信装置）２００を備える。通信装置１００は、制御部１０２、ＵＥ（第１ＵＥ）１０４、ルータ１０６、ＥＰＣ（Evolved Packet Core）（第１ＥＰＣ）１０８及びｅＮｏｄｅＢ（第１ｅＮｏｄｅＢ）１１０を備える。通信装置２００は、制御部２０２、ＵＥ（第２ＵＥ）２０４、ルータ２０６、ＥＰＣ（第２ＥＰＣ）２０８及びｅＮｏｄｅＢ（第２ｅＮｏｄｅＢ）２１０を備える。通信装置２００の各構成要素は、通信装置１００の対応する各構成要素と同様の機能であり、その説明を省略する。
【００１４】
ＵＥ２０ａ〜２０ｄ、１０４、２０４は、ＬＴＥ端末である。ＬＴＥ端末とは、標準規格団体である３ＧＰＰによって定められた通信規格に基づき通信可能な端末をいう。
【００１５】
制御部１０２は、バックホールの制御及び通信装置１００内の各構成の制御を行う制御部である。ルータ１０６は、パケットをルーティングするルータであって、テーブル１１２を備える。ＥＰＣ１０８は、コアネットワークである。ｅＮｏｄｅＢ１１０は、ＵＥ２０ａ〜２０ｄが無線接続する基地局である。
【００１６】
＜ルーティング情報の更新の説明＞
まず、テーブル１１２、２１２に記憶されるルーティング情報の更新について説明する。図２Ａは、テーブル１１２のルーティング情報の更新前の説明図であり、図２Ｂは、テーブル２１２のルーティング情報の更新前の説明図であり、図２Ｃは、テーブル１１２のルーティング情報の更新後の説明図であり、図２Ｄは、テーブル２１２のルーティング情報の更新後の説明図である。図３は、通信システム１０の処理手順についての説明図である。
【００１７】
以下、ＵＥ（一のＵＥ）２０ａが、ＵＥ（他のＵＥ）２０ｃと通信する場合について、説明する。ＵＥ２０ａがＵＥ２０ｄと通信する場合、ＵＥ２０ｂがＵＥ２０ｃ、２０ｄと通信する場合も同様の処理手順で行われるためにその説明を省略する。
【００１８】
まず、テーブル１１２のルーティング情報Ｒ１、テーブル２１２のルーティング情報Ｒ２を更新する（ステップＳ１）。ここで、テーブル１１２には、ＵＥ２０ａ、２０ｂ、ＵＥ１０４を識別するために識別符号として各々ＩＰアドレスが記録され、テーブル２１２には、ＵＥ２０ｃ、２０ｄ、ＵＥ２０４を識別するために識別符号として各々ＩＰアドレスが記録されている。
【００１９】
制御部１０２は、テーブル１１２からルーティング情報Ｒ１を取得し、ＵＥ１０４、ｅＮｏｄｅＢ２１０を介して、制御部２０２に送信する。
【００２０】
制御部２０２は、ルーティング情報Ｒ１を受信し、ルータ２０６に送信し、テーブル２１２を更新する。テーブル２１２では、テーブル１１２のルーティング情報が追記され、更新される（図２Ｄ参照）。
【００２１】
次に、制御部２０２は、テーブル２１２からルーティング情報Ｒ２を取得し、ＵＥ２０４、ｅＮｏｄｅＢ１１０を介して、制御部１０２に送信する。
【００２２】
制御部１０２は、ルーティング情報Ｒ２を受信し、ルータ１０６に送信し、テーブル１１２を更新する。テーブル１１２では、テーブル２１２のルーティング情報が追記され、更新される（図２Ｃ参照）。
【００２３】
ＵＥ２０ａは、ｅＮｏｄｅＢ１１０に呼接続する（ステップＳ２）。ｅＮｏｄｅＢ１１０は、ＵＥ２０ａから呼接続されたことを制御部１０２に通知し、制御部１０２は、ｅＮｏｄｅＢ１１０の通信量を確認する（ステップＳ３）。
【００２４】
ｅＮｏｄｅＢ１１０の通信量が閾値Ｓよりも少ない場合（ステップＳ３  Ｙｅｓ）には、制御部１０２は、テーブル１１２からＵＥ２０４のＩＰアドレスＩとして「y.y.y.y」を取得し、ＵＥ２０ａから送信されてきたパケットＰにＩＰアドレスＩを付加してパケットＱを生成する（ステップＳ４）。
【００２５】
制御部１０２は、パケットＱをＥＰＣ１０８、ｅＮｏｄｅＢ１１０を介して、ＵＥ２０４に送信する（ステップＳ５）。
【００２６】
ＵＥ２０４は、受信したパケットＱからＩＰアドレスＩを削除して、ルータ２０６に転送し、ＩＰアドレスＩが削除されたパケットの送信先がルータ２０６で確認された後に、ＥＰＣ２０８、ｅＮｏｄｅＢ２１０を介してＵＥ２０ｃに送信される（ステップＳ６）。ＵＥ２０ｃが当該パケットを受信することにより、ＵＥ２０ａとＵＥ２０ｃとの通信が可能となり、通信経路（第１通信経路）が確立する。
【００２７】
一方、ｅＮｏｄｅＢ１１０の通信量が閾値Ｓよりも多い場合（ステップＳ３  Ｎｏ）には、制御部１０２は、ＵＥ１０４にＵＥ２０ａから送信されてきたパケットＰを転送する（ステップＳ７）。ＵＥ１０４は、受信したパケットＰをｅＮｏｄｅＢ２１０に送信する（ステップＳ８）。
【００２８】
ｅＮｏｄｅＢ２１０は、受信したパケットＰをＥＰＣ２０８を介して、ルータ２０６に転送し、パケットＰの送信先がルータ２０６で確認された後に、ＥＰＣ２０８、ｅＮｏｄｅＢ２１０を介してパケットＰは、ＵＥ２０ｃに送信される（ステップＳ９）。ＵＥ２０ｃがパケットＰを受信することにより、ＵＥ２０ａとＵＥ２０ｃとの通信が可能となり、通信経路（第２通信経路）が確立する。
【００２９】
通信システム１０は、ＥＰＣ１０８とｅＮｏｄｅＢ１１０とＵＥ１０４とを有する通信装置１００と、ＥＰＣ２０８とｅＮｏｄｅＢ２１０とＵＥ２０４とを有する通信装置２００と、前記ｅＮｏｄｅＢ１１０と無線接続するＵＥ２０ａと、前記ｅＮｏｄｅＢ２１０と無線接続するＵＥ２０ｃと、を備え、ＵＥ２０ａは、前記ｅＮｏｄｅＢ１１０、前記ＵＥ２０４を経由して、前記ＵＥ２０ｃと第１通信経路を確立する又は、ＵＥ２０ａは、前記ＵＥ１０４、前記第ｅＮｏｄｅＢ２１０を経由して、前記ＵＥ２０ｃと第２通信経路を確立する。
【００３０】
また、前記通信装置１００は、制御部１０２を有し、前記通信装置２００は、制御部２０２を有し、前記制御部１０２が、前記ｅＮｏｄｅＢ１１０の通信量が所定の閾値Ｓよりも少ないと判断した場合に、前記第１通信経路が確立され、前記制御部１０２は、前記ＵＥ２０ａから送信されたパケットＰに前記ＵＥ２０４の識別符号を付加し、前記制御部２０２は、前記識別符号が付加されたパケットＱから前記識別符号を削除する。
【００３１】
さらに、前記通信装置１００は、制御部１０２を有し、前記通信装置２００は、制御部２０２を有し、前記制御部１０２が、前記ｅＮｏｄｅＢ１１０の通信量が所定の閾値Ｓよりも多いと判断した場合に、前記第２通信経路が確立される。
【００３２】
通信システム１０では、通信装置１００にＵＥ１０４、通信装置２００にＵＥ２０４を設けて、通信装置１００と通信装置２００との間のバックホール回線として、ＵＥ１０４又はＵＥ２０４を利用することにより、新たに周波数、通信手順を用いずに簡便にバックホール回線を構築でき、周波数の効率的な利用も図れる。
【００３３】
なお、本発明は、上述の実施形態に限らず、本発明の要旨を逸脱することなく、種々の構成を採り得ることはもちろんである。
【００３４】
上記実施形態では、ＵＥ２０ａ〜２０ｄ、ＵＥ１０４、２０４を識別するために識別符号としてＩＰアドレスが用いられているが、各端末を識別できれば、ＩＰアドレスに限定されるものではない。
【符号の説明】
【００３５】
１０…通信システム
２０ａ〜２０ｄ、１０４、２０４…ＵＥ
１００、２００…通信装置
１０２、２０２…制御部
１０６、２０６…ルータ
１０８、２０８…ＥＰＣ
１１０、２１０…ｅＮｏｄｅＢ
１１２、２１２…テーブル
【図１】
2015216564.tif 000003
【図２】
2015216564.tif 000004
【図３】
2015216564.tif 000005